(57)【要約】【課題】製品の外表面を傷めず、ダンボールの使用量も少なく、収納・取り出しも容易で、低コストな換気装置包装器材を提供すること。【解決手段】周囲を樹脂部１２Ａで覆った換気装置５を梱包するために、ダンボール箱１に一対の緩衝材２Ａ、２Ｂを設置し、一対の緩衝材２Ａ、２Ｂの間に換気装置５をダンボール箱１の底部から浮かせて保持させ、一対の短フラップ４、４の自由端部を緩衝材２Ａ、２Ｂの凹部６に嵌め込んで緩衝材２Ａ、２Ｂを固定した。【選択図】  図１
2006306463.tif 000002
【特許請求の範囲】
【請求項１】
上縁部および下縁部に第１フラップと第２フラップとがそれぞれ折り曲げ可能に形成されたダンボール箱本体と、
該ダンボール箱本体内で機器を保持する一対の緩衝材とを備え、
前記一対の緩衝材は、少なくとも１枚の第１フラップの自由端部が掛止されて、前記第１フラップの反対側に位置する側壁部に固定されるように、形成されていることを特徴とする包装器材。
【請求項２】
前記緩衝材の上部に前記機器を挿入するための案内傾斜面を有することを特徴とする請求項１記載の包装器材。
【請求項３】
前記機器の側面部に取付具が突設されており、前記機器を前記ダンボール箱本体の底部から離した状態で保持する緩衝材に前記取付具を支える凹部が形成されていることを特徴とする請求項１、２何れか記載の包装器材。
【請求項４】
前記一対の緩衝材は、前記ダンボール箱の一方側に偏らせて前記換気装置を収納するように構成されると共に、前記箱内部の他方側に空間部が形成されるように構成され、前記一対の緩衝材の空間部側の側縁部に、前記短フラップの自由端部が掛止されるように凹部が形成されていることを特徴とする請求項１乃至請求項３の何れか記載の包装器材。
【請求項５】
請求項１乃至請求項４の何れか包装器材に収納される緩衝材であって、前記緩衝材の上面部に前記機器を収納するための傾斜案内面を有することを特徴とする緩衝材。
【請求項６】
請求項５に記載される緩衝材であって、前記機器の側壁部に突設された取付具を支持し、前記機器を前記ダンボール箱の底部から浮かして支持する凹部が形成されていることを特徴とする緩衝材。
【発明の詳細な説明】
【技術分野】
【０００１】
本発明は、機器等を包装する包装器材および緩衝材に関する。
【背景技術】
【０００２】
従来の包装装置には、車載用空気清浄器の包装器材が開示されている（例えば、特許文献１参照。）。この包装器材では、直方体の形状を有するダンボール箱の内部に、空気清浄器を収納するものであり、ダンボール箱内部には空気清浄器を位置決めして保持するスペーサが形成されている。スペーサには空気清浄器の突起部を挿入する凹部等が形成されている。
【特許文献１】特許第３２４０６５８号公報
【発明の開示】
【発明が解決しようとする課題】
【０００３】
しかし、換気装置の全周を緩衝材によって覆うと使用するダンボールの量が多くなり、コストが高くなる問題がある。さらに、換気装置の外寸に合わせて緩衝材の内寸が設計されており、緩衝材が固定されていないと、梱包状態においてダンボール箱内部で本体と緩衝材とが動いてしまい、換気装置本体が破損してしまう虞がある。また、機器本体を緩衝材に挿入するときに、緩衝材が動いてしまい、挿入しにくいという問題がある。
【０００４】
さらに、最近の換気装置では外気と室内空気の熱交換を行うものがあり、熱交換式の換気装置では熱交換による結露防止のため、換気装置の箱体の外側に発泡性樹脂板を取り付けて断熱層を形成するようになっている。
【０００５】
このような換気装置をダンボール箱の内側に収納すると、ダンボール箱の底面フラップや天井側フラップ等が直に包装器材の壁面に接触するので、機器である換気装置の底面や上面部のウレタン樹脂が換気装置自身の自重で潰れてしまうことがあり、断熱性能が低下することがある。
【０００６】
本発明は、このような問題に着目してなされたものであり、製品の外表面を傷めず、ダンボールの使用量も少なく、収納・取り出しも容易で、低コストな換気装置包装器材を提供することを目的とする。
【課題を解決するための手段】
【０００７】
上記課題を解決するために、本願の請求項１の包装器材は、上縁部および下縁部に第１フラップと第２フラップとがそれぞれ折り曲げ可能に形成されたダンボール箱本体と、該ダンボール箱本体内で機器を保持する一対の緩衝材とを備え、前記一対の緩衝材は、少なくとも１枚の第１フラップの自由端部が掛止されて、前記第１フラップの反対側に位置する側壁部に固定されるように、形成されていることを特徴とする。
【０００８】
本願の請求項２の包装器材は、請求項１記載の包装器材において、前記緩衝材の上部に前記機器を挿入するための案内傾斜面を有することを特徴とする。
【０００９】
本願の請求項３の包装器材は、請求項１、２何れか記載の包装器材において、前記機器の側面部に取付具が突設されており、前記機器を前記ダンボール箱本体の底部から離した状態で保持する緩衝材に前記取付具を支える凹部が形成されていることを特徴とする。
【００１０】
本願の請求項４の包装器材は、請求項１乃至請求項３の何れか記載の包装器材において、前記一対の緩衝材は、前記ダンボール箱の一方側に偏らせて前記換気装置を収納するように構成されると共に、前記箱内部の他方側に空間部が形成されるように構成され、前記一対の緩衝材の空間部側の側縁部に、前記短フラップの自由端部が掛止されるように凹部が形成されていることを特徴とする。
【００１１】
本願の請求項５の緩衝材は、請求項１乃至請求項４の何れか包装器材に収納される緩衝材であって、前記緩衝材の上面部に前記機器を収納するための傾斜案内面を有することを特徴とする。
【００１２】
本願の請求項６の緩衝材は、請求項５に記載される緩衝材であって、前記機器の側壁部に突設された取付具を支持し、前記機器を前記ダンボール箱の底部から浮かして支持する凹部が形成されていることを特徴とする。
【発明の効果】
【００１３】
本願の請求項１の包装器材によれば、ダンボール箱本体内部に一対の緩衝材が設置され、これらの一対の緩衝材に第１フラップが掛止されており、箱本体内で緩衝材が移動することが防止され、機器本体の損傷を防止することができる。また、緩衝材に第１フラップを掛止する際に、一対の緩衝材をダンボール箱の片側に押しつけて固定するので、緩衝材に用いるダンボールの量が少なくて済むと共に、緩衝材が規制されて、箱本体で緩衝材が移動することが防止され、機器本体の損傷を防止することが出来る。更に、機器をダンボール箱本体内に収納する際に収納し易くなる。
【００１４】
本願の請求項２の包装器材および請求項５の緩衝材によれば、一対の緩衝材が固定されていると共に、一対の緩衝材に案内傾斜面が形成されているので、機器を収納する際に収納しやすい。
【００１５】
本願の請求項３の包装器材および請求項６の緩衝材によれば、一対の緩衝材の凹部に機器の取付具が支持されるので、機器の底部がダンボール箱の底部に付かず、機器表面に断熱層等が形成されていても、断熱層が潰れて傷つくことがなく、機器本体の外表面の損傷を防止できる。
【００１６】
本願の請求項４の包装器材によれば、箱の一方側に偏らせて機器を収納し、箱内部の他方側に空間部が形成され、一対の緩衝材の空間部側の側縁部に、第１フラップの自由端部が掛止されるように凹部が形成されているので、機器の空間部側に給気管や排気管を設けても、収納が容易になる。
【発明を実施するための最良の形態】
【００１７】
以下、本発明の最良の形態の包装器材および緩衝材を図面を用いて説明する。
【００１８】
図２は実施の形態にかかる包装器材であるダンボール箱１と緩衝材２Ａ、２Ｂを示す。矩形断面を有する箱体であるダンボール箱１は扁平な直方体の包装箱を形成するものである。ダンボール箱１は、上縁部と下縁部に、それぞれ第２フラップである一対の長フラップ３、３と、第１フラップである一対の短フラップ４、４を備えている。ダンボール箱１を形成するダンボール紙は２枚積層したものであり、機器である換気装置５を収納して持ち上げても容易に変形しない剛性を持っている。一対の緩衝材２Ａ、２Ｂはダンボール箱１内に配設される。
【００１９】
一対の緩衝材２Ａ、２Ｂは、図３に示すように、ダンボール箱１の長手方向に延びる側壁部Ｗと角部に沿って平行に配設される。梱包される換気装置５は、一対の緩衝材２Ａ、２Ｂの間に挟まれて収納されるようになっている。緩衝材２Ａ、２Ｂの一方の端縁部には、図４（ｂ）に示すように、上縁部と下縁部の短フラップ４、４の自由端部が掛止されるように、短フラップ４の厚さ相当の幅を有する凹部６が上下にそれぞれ一対づつ形成されている。
【００２０】
図１に示すように、一対の緩衝材２Ａ、２Ｂは、ダンボール箱１の片側の上下縁部の短フラップ４、４を横に折り曲げ、短フラップ４、４の自由端部を緩衝材２Ａ、２Ｂの端縁部の凹部６に掛け止めることによって、ダンボール箱１の一方に偏って固定される。ダンボール箱１の緩衝材２Ａ、２Ｂに掛止された短フラップ４、４側に、換気装置５のチャンバー部７および給気用ダクトジョイント５ｆを収納する空間部８が形成される。
【００２１】
図４（ａ）は緩衝材２Ａ、２Ｂの斜視図と、緩衝材２Ａ、２Ｂの端縁部の凹部６の形成箇所を示す。緩衝材２Ａ、２Ｂの上部には傾斜案内面２Ｃがそれぞれ形成されており、緩衝材２Ａ、２Ｂを平行に並べたときに、傾斜案内面２Ｃが互いに向き合って、両者間に換気装置５を挿入しやすくなっている。また、緩衝材２Ａ、２Ｂの傾斜案内面２Ｃには、換気装置５の取付金具８を支持するための凹部９Ａ、９Ｂ、９Ｃ、９Ｄが形成されている。
【００２２】
この緩衝材２Ａ、２Ｂのダンボール紙の波状部分の延びる方向である目（図８（ａ）、図９（ａ）参照）は、ダンボール箱１の上下方向、即ち、鉛直方向に向けられており、凹部９Ａ、９Ｂ、９Ｃ、９Ｄに換気装置５の取付具である取付金具８が搭載されたときに、凹部９Ａ、９Ｂ、９Ｃ、９Ｄの取付金具の支持面が容易に変形しないようになっている。
【００２３】
更に、凹部９Ａ、９Ｂ、９Ｃ、９Ｄは、換気装置５を図６に示すように横にして搭載するときに、換気装置５の底部を覆うウレタンフォーム等の樹脂部１２Ａがダンボール箱１の底部に接触しない位置に設けられている。換気装置５の側板部中央側に形成された取付金具８は、凹部９Ｃ、９Ｄにより支持される。凹部９Ｃには、換気装置５の電源基板１１を挿入する凹部９Ｅが形成されている。
【００２４】
図５は換気装置５の概略を示す。この実施の形態では、換気装置５は外気を図示しないシロッコファンで吸い込んで複数の部屋に給気する外気供給用のものであり、シロッコファンと図示しないモーターを格納した本体ケース部１２と、本体ケース部１２から送風される外気を複数の部屋に供給する通路を有するチャンバー部７とを備えている。チャンバー部７の３方の側壁部には給気用ダクトジョイント５ｆが装着されている。これらの給気用ダクトジョイント５ｆには図示しない給気用のダクトが接続される。本体ケース部１２の側壁部には外気を取り入れるための吸込側ダクトジョイント５ｓが突設されている。換気装置５の本体ケース部１２の周囲とチャンバー部７の周囲は、樹脂部１２Ａによって覆われており、この樹脂部１２Ａが断熱層を形成し、結露を防止している。
【００２５】
図７は、緩衝材２Ａ、２Ｂの間に換気装置５を保持させた状態を示す。緩衝材２Ａ、２Ｂの間に換気装置５を搭載したときに、換気装置５の本体ケース部１２およびチャンバー部７の底部は、緩衝材２Ａ、２Ｂの底部よりも高い位置に位置しており、ダンボール箱１の底部となる吸込側ダクトジョイント５ｓ側の短フラップ４或いは長フラップ３、３より離間した浮いた位置にあって、樹脂部１２Ａに重力がかからないようになっている。
【００２６】
図８は緩衝材２Ａの展開図１３を示す。緩衝材２Ａの展開図１３は、図８（ｂ）に示すように、５角形の形状に折り曲げられる。緩衝材２Ａの展開図１３において、点線１３Ａ〜１３Ｇは図８（ａ）の紙面において紙面下方に稜線が突出する谷折り線である。緩衝材２Ａは、ダンボールを構成する波状部分となる目が点線１３Ａ〜１３Ｇに対して直交方向に向くように形成されており、２枚構造のダンボール紙で形成されている。
【００２７】
図８（ａ）の展開図１３において左側の矩形部分は、ダンボール箱１の内壁に接触支持される縦板部で１４Ａである。縦板部１４Ａの右隣部位は、上板部１４Ｂであり、上板部１４Ｂの右隣部位は傾斜案内部１４Ｃ、傾斜案内部１４Ｃの右隣部位は下部縦板部１４Ｄ、下部縦板部１４Ｄの右隣部位は底板部１４Ｅ、底板部１４Ｅの右隣部位は内側縦板部１４Ｆ、内側縦板部１４Ｆの右隣部位は内側水平板部１４Ｇ、内側水平板部１４Ｇの右隣部位は内側縦板部１４Ｈである。
【００２８】
この展開図１３の点線１３Ａ〜１３Ｇを谷折りにすると、図８（ｂ）のように５角形断面の筒体が形成される。図８（ａ）において展開図１３の上端部には凹部６を形成するための切欠６Ａが形成されている。
【００２９】
縦板部１４Ａに形成される突辺部は差し込み片部１５Ａである。この差し込み片部１５Ａは挿入開口部１６Ａに挿入される。上板部１４Ｂと傾斜案内部１４Ｃには凹部９Ａを形成する折り曲げ片１５Ｂが切り込まれている。折り曲げ片１５Ｂの先端部には差し込み片１５Ｂ’が形成され、差し込み片１５Ｂ’は折り曲げ部１７Ａのスリット１７Ｂに挿入可能とされている。
【００３０】
また、折り曲げ部１７Ａの上下には補強部１８Ａが一対形成されており、この補強部１８Ａの先端部の差し込み片１８Ａ’は折り曲げ片１５Ｂの上下に形成されたスリット１８Ｂに差し込まれるようになっている。
【００３１】
凹部９Ａの支持部を構成する折り曲げ部１７Ａは、内側縦板部１４Ｆと内側縦板部１４Ｈを繋いでおり、取付金具８を支持しても折り曲げ部１７Ａが変形しないように、その強度が確保されている。
【００３２】
傾斜案内部１４Ｃには、凹部９Ｃの後壁部１９Ａが切り込まれている。後壁部１９Ａの先端部１９Ａ’は内側水平板部１４Ｇのスリット１９Ｂに差し込まれる。内側水平板部１４Ｇには取付金具８が支持される。
【００３３】
電源基板１１は、下部縦板部１４Ｄに切り込まれた水平板部１９Ｃに支持され、電源基板１１の後部は内側水平板部１４Ｇと内側縦板部１４Ｈとの間に切り込まれた縦板部１９Ｄに支持される。
【００３４】
内側縦板部１４Ｆと内側水平板部１４Ｇとの間に切り込まれた切り込み板部１９Ｅは傾斜案内部１４Ｃを裏側から支えるものであり、切り込み板部１９Ｅの先端部１９Ｅ’はスリット１９Ｆに差し込まれる。
【００３５】
図９（ａ）は、緩衝材２Ｂの展開図２０を示す。緩衝材２Ｂの展開図２０は、図９（ｂ）に示すように、５角形の形状に折り曲げられる。緩衝材２Ｂの展開図２０において、点線２０Ａ〜２０Ｇは図９の紙面において紙面下方に稜線が突出する谷折り線である。緩衝材２Ｂの展開図２０において、点線２０Ａ〜２０Ｇは図９（ａ）の紙面において紙面下方に稜線が突出する谷折り線である。緩衝材２Ｂはダンボール紙の波状部分を構成する目が点線２０Ａ〜２０Ｇに対して直交方向に向くように形成されており、２枚構造のダンボール紙で形成されている。
【００３６】
図９（ａ）の展開図２０において、右側の矩形部分はダンボール箱１の内壁に接触支持される縦板部で２１Ａである。縦板部２１Ａの左隣部位は上板部２１Ｂであり、上板部２１Ｂの左隣部位は傾斜案内部２１Ｃ、傾斜案内部２１Ｃの左隣部位は下部縦板部２１Ｄ、下部縦板部２１Ｄの左隣部位は底板部２１Ｅ、底板部２１Ｅの左隣部位は内側縦板部２１Ｆ、内側縦板部２１Ｆの左隣部位は内側水平板部２１Ｇ、内側水平板部２１Ｇの左隣部位は内側縦板部２１Ｈである。
【００３７】
この展開図２０の点線２０Ａ〜２０Ｇを谷折りにすると、図９（ｂ）のように５角形断面の筒体が形成される。図９（ａ）において展開図２０の上端部には凹部６を形成するための切欠６Ｂが形成されている。
【００３８】
縦板部２１Ａに形成される突辺部は差し込み片部２２Ａである。この差し込み片部２２Ａは挿入開口部２３Ａに挿入される。
【００３９】
上板部２１Ｂと傾斜案内部２１Ｃには凹部９Ｂを形成する折り曲げ片２４Ｂが切り込まれている。折り曲げ片２４Ｂの先端部には差し込み片２４Ｂ’が形成され、差し込み片２４Ｂ’は折り曲げ部２５Ａのスリット２５Ｂに挿入可能とされている。
【００４０】
また、折り曲げ部２５Ａの上下には補強部２６Ａが一対形成されており、この補強部２６Ａの先端部の差し込み片２６Ａ’は折り曲げ片２４Ｂの上下に形成されたスリット２６Ｂに差し込まれるようになっている。
【００４１】
凹部９Ｂの支持部を構成する折り曲げ部２５Ａは、内側縦板部２１Ｆと内側縦板部２１Ｈを繋いでおり、取付金具８を支持しても折り曲げ部２５Ａが変形しないように、その強度が確保されている。
【００４２】
更に、上板部２１Ｂと傾斜案内部２１Ｃ上部には、凹部９Ｄを形成する折り曲げ片２７Ｂが切り込まれている。折り曲げ片２７Ｂの先端部には、差し込み片２７Ｂ’が形成され、差し込み片２７Ｂ’は、折り曲げ部２８Ａのスリット２８Ｂに挿入可能とされている。
【００４３】
また、折り曲げ部２８Ａの上下には補強部２９Ａ、２９Ｂが形成されており、この補強部２９Ａ、２９Ｂの先端部の差し込み片２９Ａ’、２９Ｂ’は、折り曲げ片２７Ｂの上下に形成されたスリット２９Ｃに、差し込まれるようになっている。
【００４４】
凹部９Ｄの支持部を構成する折り曲げ部２８Ａは、内側縦板部２１Ｆと内側縦板部２１Ｈを繋いでおり、取付金具８を支持しても折り曲げ部２８Ａが変形しないように、その強度が確保されている。補強部２６Ａおよび補強部２９Ａ、２９Ｂは、凹部９Ｂ、９Ｄの縁部を形成する傾斜案内部２１Ｃを裏側から支持している。
【００４５】
以上説明したように、このダンボール箱１および緩衝材２Ａ、２Ｂは、周囲を樹脂部１２Ａで覆った換気装置５を梱包するために、一対の緩衝材２Ａ、２Ｂの間に換気装置５をダンボール箱１の底部から浮かせて保持させ、一対の短フラップ４、４の自由端部を緩衝材２Ａ、２Ｂの凹部６に嵌め込んで緩衝材２Ａ、２Ｂを固定している。
【００４６】
その際に一対の短フラップ４、４が緩衝材２Ａ、２Ｂをダンボール箱１内の片方側に偏らせて固定するので、空間部８が形成され、この空間部８に、換気装置５のチャンバー部７の側壁部から後方および側方に突出した給気用ダクトジョイント５ｆが、他のものに干渉されることなく格納される。
【００４７】
また、図１１に示すように、緩衝材２Ａ、２Ｂに形成された凹部９Ａ〜９Ｄの前後の縦壁部分が２重壁になっており、これらの縦壁部分がダンボール箱１の側壁部によって支えられている。このため、取付金具８を支持して搬送等するときに、座屈に対する剛性が向上することとなり、ダンボール箱１や換気装置５が損傷することが防止される。
【００４８】
更に、一対の緩衝材２Ａ、２Ｂに短フラップ４を掛止する際に、短フラップ４によって一対の緩衝材２Ａ、２Ｂがダンボール箱１の片側に押しつけられて固定され、緩衝材２Ａ、２Ｂが動かないので、換気装置５を収納しやすい。また、一対の緩衝材２Ａ、２Ｂに案内傾斜面２Ｃが形成されているので、換気装置５を収納する際に収納しやすい。
【００４９】
尚、一対の短フラップ４、４の自由端部を緩衝材２Ａ、２Ｂの凹部６に嵌め込んで緩衝材２Ａ、２Ｂを固定しているが、上縁部と下縁部に設けた上下の短フラップ４、４のうち、緩衝材２Ａ、２Ｂの下縁部のみまたは上縁部のみに凹部６を設けて、下縁部のみまたは上縁部のみの片方の短フラップ４を緩衝材２Ａ、２Ｂに設けた凹部６に嵌め込むことにより、緩衝材２Ａ、２Ｂを固定する構造であっても良い。好ましくは少なくとも下縁部に設けた短フラップ４を凹部６に嵌め込んで緩衝材２Ａ、２Ｂを固定するようになっていることが好ましい。
【００５０】
更に、上記の実施の形態では機器を換気装置５としたが、空気清浄器等の空調機器でも良く、更に他の機器であっても良い。また、第１フラップと第２フラップは同じ長さであっても良く、第１フラップが第２フラップより長くなっていても良い。
【図面の簡単な説明】
【００５１】
【図１】本発明の最良の形態にかかるダンボール箱及び緩衝材によって換気装置を収納した状態の断面図である。
【図２】図１のダンボール箱の未収納状態の斜視図である。
【図３】図１のダンボール箱に緩衝材を設置した状態の斜視図である。
【図４】（ａ）は緩衝材の斜視図、（ｂ）は緩衝材の端縁部に形成したフラップ掛止用の凹部を示す拡大斜視図である。
【図５】ダンボール箱に換気装置を挿入する直前の箱と換気装置の姿勢を示す斜視図である。
【図６】ダンボール箱に換気装置を挿入した直後の状態を示す斜視図である。
【図７】ダンボール箱に換気装置を挿入し、短フラップで緩衝材を固定した直後の状態を示す斜視図である。
【図８】（ａ）は一方の緩衝材の展開図、（ｂ）は一方の緩衝材の巻回状態を示す模式図である。
【図９】（ａ）は他方の緩衝材の展開図、（ｂ）は他方の緩衝材の巻回状態を示す模式図である。
【図１０】他方の緩衝材の巻回状態を示す側面図である。
【図１１】一対の緩衝材間に換気装置を保持させた状態の図である。
【符号の説明】
【００５２】
１  ダンボール箱
２Ａ、２Ｂ  緩衝材
３  長フラップ（第２フラップ）
４  短フラップ（第１フラップ）
５  換気装置（機器）
５ｆ  給気用ダクトジョイント
５ｓ  吸込用ダクトジョイント
６  短フラップ掛止用の凹部
７  チャンバー部
８  換気装置の取付金具
９Ａ〜９Ｄ  凹部
１２  本体ケース部
１２Ａ  樹脂部
１３  一方の緩衝材の展開図
２０  他方の緩衝材の展開図
【図１】
2006306463.tif 000003
【図２】
2006306463.tif 000004
【図３】
2006306463.tif 000005
【図４】
2006306463.tif 000006
【図５】
2006306463.tif 000007
【図６】
2006306463.tif 000008
【図７】
2006306463.tif 000009
【図８】
2006306463.tif 000010
【図９】
2006306463.tif 000011
【図１０】
2006306463.tif 000012
【図１１】
2006306463.tif 000013